(57)【要約】【課題】伸縮筒の伸び縮みの繰り返しによる断線を防止した指示棒を提供する。【解決手段】  電源を備えた把持部と、該把持部から一の方向に伸縮する伸縮筒と、該伸縮筒の前記把持部とは反対の端部に備えられた先端部と、を備えた指示棒において、前記把持部には、前記伸縮筒側の端部に前記電源に電気接続された第１コネクタが備えられ、前記先端部には、前記光源に電気接続された蓄電素子と前記伸縮筒側の端部に前記蓄電素子に電気接続された第２コネクタとが備えられ、前記伸縮筒が縮んだ状態で、前記第１コネクタと前記第２コネクタとが電気接続し、前記電源からの電流を前記蓄電素子に充電し、前記伸縮筒が一部伸びた状態で、前記第１コネクタと前記第２コネクタとが電気的に非接続となり、前記蓄電素子が放電し電流を前記光源に供給する事を特徴とする。これにより、伸縮筒の伸び縮みの繰り返しによる断線を防止する事ができる。【選択図】図１
2019046666.tif 000002
【特許請求の範囲】
【請求項１】
電源を備えた把持部と、
該把持部から一の方向に伸縮する伸縮筒と、
該伸縮筒の前記把持部とは反対の端部に備えられ内部に光源を備えた先端部と、を備えた指示棒において、
前記把持部には、前記伸縮筒側の端部に前記電源に電気接続された第１コネクタが備えられ、
前記先端部には、前記光源に電気接続された蓄電素子と前記伸縮筒側の端部に前記蓄電素子に電気接続された第２コネクタとが備えられ、前記伸縮筒が縮んだ状態で、前記第１コネクタと前記第２コネクタとが電気接続し、前記電源からの電流を前記蓄電素子に充電し、前記伸縮筒が一部伸びた状態で、前記第１コネクタと前記第２コネクタとが電気的に非接続となり、前記蓄電素子が放電し電流を前記光源に供給する事を特徴とする指示棒。
【請求項２】
前記先端部には振動センサを含むスイッチを備え、前記伸縮筒が伸び、前記第１コネクタと前記第２コネクタとが電気的に非接続となる状態において、前記振動センサで被指示物に接触した振動が検知されることにより、前記スイッチがオンされることで、前記蓄電素子が放電し電流を前記光源に供給する事を特徴とする請求項１に記載の指示棒。
【請求項３】
前記把持部には操作スイッチ及び赤外ダイオードを備え、前記先端部には赤外センサを含むスイッチを備え、前記伸縮筒が伸び、前記第１コネクタと前記第２コネクタとが電気的に非接続となる状態において、前記操作スイッチが操作され、前記赤外ダイオードにより赤外線が出力され、前記赤外センサで前記赤外線が検知されることにより、前記スイッチがオンされることで、前記蓄電素子が放電し電流を前記光源に供給することを特徴とする請求項１に記載の指示棒。
【請求項４】
前記把持部には操作スイッチ及び磁力発生素子を備え、前記先端部には磁力受信センサを含むスイッチを備え、前記伸縮筒が伸び、前記第１コネクタと前記第２コネクタとが電気的に非接続となる状態において、前記操作スイッチが操作され、前記磁力発生素子により磁力が発生され、前記磁力受信センサで前記磁力が検知されることにより、前記スイッチがオンされることで、前記蓄電素子が放電し電流を前記光源に供給することを特徴とする請求項１記載の指示棒。
【発明の詳細な説明】
【技術分野】
【０００１】
本発明は、先端部に光源を備えた伸縮可能な指示棒に関する。
【背景技術】
【０００２】
従来から先端部が光る伸縮可能な指示棒は知られている。例えば、特許文献１には、利用者が手に持つための把持部と、把持部の端部に備えられた伸縮自在な伸縮筒と、伸縮筒の把持部とは反対側の端部に設けられた光源を含む先端部と、を備えた指示棒が開示されている。この指示棒は、把持部の内部に電池を備えており、電池に接続した配線が、伸縮筒内部に配置され、先端部の光源に接続されている。さらに、配線は、カールコードであり、伸縮筒を伸ばした状態のときに、カールコードが伸びた状態になる。これにより伸縮筒の伸び縮みに合わせて、配線も伸び縮みする。
【先行技術文献】
【特許文献】
【０００３】
【特許文献１】実用新案登録第３１９９４１６号公報
【発明の概要】
【発明が解決しようとする課題】
【０００４】
しかしながら、特許文献１の指示棒においては、伸縮筒を伸ばしたときにカールコードも同じように伸びる状態となるが、弾性力が絶えずカールコードと電池との接続部分及びカールコードと光源との接続部分にかかる事から、接続部分の劣化等により断線する可能性があった。
【０００５】
本発明は、伸縮筒の伸び縮みの繰り返しによる断線を防止すべく、配線を不要とした指示棒を提供する事を目的とする。
【課題を解決するための手段】
【０００６】
上記目的を達成するために、請求項１に記載の発明に係る指示棒は、電源を備えた把持部と、該把持部から一の方向に伸縮する伸縮筒と、該伸縮筒の前記把持部とは反対の端部に備えられ内部に光源を備えた先端部と、を備えた指示棒において、前記把持部には、前記伸縮筒側の端部に前記電源に電気接続された第１コネクタが備えられ、前記先端部には、前記光源に電気接続された蓄電素子と前記伸縮筒側の端部に前記蓄電素子に電気接続された第２コネクタとが備えられ、前記伸縮筒が縮んだ状態で、前記第１コネクタと前記第２コネクタとが電気接続し、前記電源からの電流を前記蓄電素子に充電し、前記伸縮筒が一部伸びた状態で、前記第１コネクタと前記第２コネクタとが電気的に非接続となり、前記蓄電素子が放電し電流を前記光源に供給する。
【０００７】
請求項２に記載の発明に係る指示棒において、前記先端部には振動センサを含むスイッチを備え、前記伸縮筒が伸び、前記第１コネクタと前記第２コネクタとが電気的に非接続となる状態において、前記振動センサで被指示物に接触した振動が検知されることにより、前記スイッチがオンされることで、前記蓄電素子が放電し電流を前記光源に供給する。
【０００８】
請求項３に記載の発明に係る指示棒において、前記把持部には操作スイッチ及び赤外ダイオードを備え、前記先端部には赤外センサを含むスイッチを備え、前記伸縮筒が伸び、前記第１コネクタと前記第２コネクタとが電気的に非接続となる状態において、前記操作スイッチが操作され、前記赤外ダイオードにより赤外線が出力され、前記赤外センサで前記赤外線が検知されることにより、前記スイッチがオンされることで、前記蓄電素子が放電し電流を前記光源に供給する。
【０００９】
請求項４に記載の発明に係る指示棒において、前記把持部には操作スイッチ及び磁力発生素子を備え、前記先端部には磁力受信センサを含むスイッチを備え、前記伸縮筒が伸び、前記第１コネクタと前記第２コネクタとが電気的に非接続となる状態において、前記操作スイッチが操作され、前記磁力発生素子により磁力が発生され、前記磁力受信センサで前記磁力が検知されることにより、前記スイッチがオンされることで、前記蓄電素子が放電し電流を前記光源に供給する。
【発明の効果】
【００１０】
本発明によれば、把持部は、電源を備える。伸縮筒は、該把持部から一の方向に伸縮する。先端部は、該伸縮筒の前記把持部とは反対の端部に備えられ内部に光源を備える。前記把持部には、前記伸縮筒側の端部に前記電源に電気接続された第１コネクタが備えられ、前記先端部には、前記光源に電気接続された蓄電素子と前記伸縮筒側の端部に前記蓄電素子に電気接続された第２コネクタとが備えられ、前記伸縮筒が縮んだ状態で、前記第１コネクタと前記第２コネクタとが電気接続し、前記電源からの電流を前記蓄電素子に充電し、前記伸縮筒が一部伸びた状態で、前記第１コネクタと前記第２コネクタとが電気的に非接続となり、前記蓄電素子が放電し電流を前記光源に供給する。この結果、電源と光源とを電気的に接続するための配線を不要とする事ができる。
【図面の簡単な説明】
【００１１】
【図１】本発明の第１実施形態に係る指示棒の全体外観図である。
【図２】第１実施形態における把持部の拡大断面図である。
【図３】第１実施形態における先端部の拡大断面図である。
【図４】第１実施形態における先端部を示す回路図である。
【図５】第１実施形態におけるコネクタを示す図である。
【発明を実施するための形態】
【００１２】
本発明の指示棒に係る実施形態について、図面を参照して説明する。
【００１３】
［第１実施形態］
本発明の第１実施形態に係る指示棒について、説明する。図１に示すように、指示棒は、把持部１と、伸縮筒２と、先端部３と、を備える。先端部３の方向を一の方向とし、把持部１の方向を他の方向として以下説明を行う。
【００１４】
把持部１の材質は、プラスチックである。把持部１は、断面が四角形状で長手方向の長さが約１０ｃｍの形状を有する。なお、把持部１の形状は四角形状以外に、円形状、三角形状のいずれでもよく、利用者が握りやすい形状である事が望ましい。
【００１５】
伸縮筒２は、断面が円形状である５本の筒で構成される。伸縮筒２の材質は、ステンレス素材である。伸縮筒２は、把持部１に摺動可能に備えられた第１の筒２１と、第１の筒に対して一の方向に隣り合う第２の筒２２と、第２の筒に対して一の方向に隣り合う第３の筒２３と、第３の筒に対して一の方向に隣り合う第４の筒２４と、第４の筒に対して一の方向に隣り合う第５の筒２５と、で構成される。なお、伸縮筒２は、５本の筒以外に、３本の筒、６本の筒等で構成されてもよく、材質もステンレス素材以外に、真鍮、アルミニウム等の素材でもよい。
【００１６】
先端部３は、被指示物を指し示すための部分であり、円錐台の形状である。先端部３の材質は、透過性のプラスチックである事が望ましい。先端部３は、第５の筒２５における一の方向端部に固定されている。なお、材質は透過性のプラスチック以外に乳白アクリル等の拡散材料であってもよい。
【００１７】
把持部１を、図２を参照して説明する。把持部１は、内部に電源１１と、回路基板１２と、第１コネクタ１３と、収納部１４と、を備える。
【００１８】
電源１１は、乾電池又はバッテリーである。
【００１９】
回路基板１２は、後述する第１コネクタ１３に電源１１からの入力電流を供給するための回路基板である。具体的には、回路基板１２は電源１１から入力された電圧及び電流を、光源３４を点灯するのに必要な電圧まで昇圧又は降圧を行い、第１コネクタ１３に供給する。
【００２０】
第１コネクタ１３は、プラス電極とマイナス電極とを備える。
【００２１】
次に、図３及び図４を参照して先端部３を説明する。先端部３は、第２コネクタ３１と、蓄電素子３２と、スイッチ３３と、光源３４と、を備える。
【００２２】
第２コネクタ３１は、プラス電極とマイナス電極とを備える。また、第２コネクタ３１は第１コネクタ１３と同一の大きさ及び形状である。
【００２３】
蓄電素子は、コンデンサ又はバッテリーで構成される。蓄電素子３２は、第２コネクタ３１に並列接続されており、第２コネクタ３１からの電流を充電し、後述する光源３４に電流を放電する。
【００２４】
スイッチ３３は、振動センサを備える。蓄電素子３２と光源３４との間に直列接続されており、振動センサが振動を検知してスイッチがオンとなる。スイッチがオンとなることで蓄電素子３２に充電された電流が光源３４に供給される。
【００２５】
光源３４は、ＬＥＤ素子又は電球で構成される。光源３４は、スイッチ３３に直列接続され、蓄電素子３２に並列接続されている。
【００２６】
次に、第１コネクタ１３及び第２コネクタ３１を、図５を参照して説明する。第１コネクタ１３及び第２コネクタ３１は、同じ大きさ及び形状であるため第２コネクタ３１を用いて説明する。第２コネクタ３１は、プラス端子３１１及びマイナス端子３１２を備える。プラス端子３１１は円柱形上で他の方向の端部は、端面を備える。マイナス端子３１２は、プラス端子を囲う円形状で他の方向の端部は、プラス端子３１１の端面と同一の面一で端面を備える。プラス端子３１１及びマイナス端子３１２の一の方向端部には蓄電素子３２に接続されている。
【００２７】
＜本実施形態における使用形態＞
次に、本実施形態の動作を、図１を参照して説明する。利用者は、指示棒を持ち歩く時に、伸縮筒２の第１の筒２１から第５の筒２５までを縮め、伸縮筒２を把持部１の収納部１４に収納したコンパクトな状態で持ち歩くのが一般的である。
【００２８】
このコンパクトな状態の時に、把持部１に備えられた第１コネクタ１３のプラス端子及びマイナス端子の端面と、先端部３に備えられた第２コネクタ３１のプラス端子３１１及びマイナス端子３１２の端面とが、向かい合って接触しており、電気的に接続状態となる。  
【００２９】
具体的には、把持部１の電源１１からの入力電圧及び入力電流を、回路基板１２で光源１４の点灯に必要な電圧まで昇圧又は降圧して第１コネクタ１３に供給する。第１コネクタ１３のプラス端子の端面から先端部３に備えられた第２コネクタ３１のプラス端子３１１の端面に入力電流が流れ、蓄電素子３２に充電される。
【００３０】
利用者が会議等で指示棒を使用する時に、把持部１の収納部１４に収納されていた伸縮筒２を一の方向に引き出し、伸縮筒２の第１の筒２１から第５の筒２５の少なくとも一部を伸ばした状態で指示棒を使用する。
【００３１】
この伸縮筒２を一の方向に少しでも引き出し又は伸ばした状態の時に把持部１に備えられた第１コネクタ１３のプラス端子及びマイナス端子の端面と、先端部３に備えられた第２コネクタ３１のプラス端子３１１及びマイナス端子３１２の端面とが、離れ電気的に非接続状態となる。
【００３２】
具体的には、先端部３に備えられた第２コネクタ３１には、入力電流が流れず、蓄電素子３２は電流を蓄積した状態となっている。
【００３３】
利用者が先端部３を被指示物に接触させることで、スイッチ３３の振動センサが振動を検知してスイッチ３３がオンの状態となる。このスイッチ３３がオンの状態の時に、蓄電素子３２に蓄積されていた入力電流が放電され、光源３４に供給されることで光源３４が光る。
【００３４】
＜第１実施形態の効果＞
本実施形態によれば、利用者が指示棒をコンパクトな状態で持ち歩く時に充電を行い、伸縮筒２を伸ばした時に先端部３を光らせる事ができるため、利用者が使用する時だけ光らせる事ができる。また光源３４と回路基板１２とをカールコード等の配線で接続させる必要性がないため、伸縮筒２の伸び縮みによる配線と光源３４との接続部分及び配線と回路基板１２との接続部分の劣化等を防止する事ができる。
【００３５】
さらに本実施形態によれば、スイッチ３３に振動を検知するための振動センサが備えられている。この結果、利用者が被指示物を指し示すときに、従来の指示棒に備えられたスイッチを押す操作を行わなくとも、先端部を光らせる事が可能となる。利用者が、説明に集中し過ぎた事により、スイッチを押し忘れ、先端部が光らないという事も防止する事ができる。
【００３６】
［第２実施形態］
本発明の第２実施形態に係る指示棒について、説明する。第２実施形態において、第１実施形態と同じ構成には、同じ記号または番号を付し、その同じ構成の説明を省略する。
【００３７】
把持部１は、操作スイッチと赤外ダイオードとをさらに備える。操作スイッチは、利用者によって操作され、操作スイッチが操作されたときに、赤外ダイオードから特定の赤外線が出力される。
【００３８】
スイッチ３３は、赤外センサを備える。蓄電素子３２と光源３４との間に直列に接続されており、赤外センサが伸縮筒２の内部を照射した赤外線を検知してスイッチがオンとなる。
【００３９】
＜第２実施形態の効果＞
本実施形態によれば、把持部１に操作スイッチと赤外ダイオードとを備え、スイッチ３３に赤外センサを備える。この結果、利用者が被指示物を指し示すときに、従来の指示棒に備えられた操作スイッチを操作することで、先端部を光らせる事が可能となる。また光源３４と回路基板１２とをカールコード等の配線で接続させる必要性がないため、伸縮筒２の伸び縮みによる配線と光源３４との接続部分及び配線と回路基板１２との接続部分の劣化等を防止する事ができる。さらに赤外線は、伸縮筒２の内部を照射するため、、複数の指示棒を使用したことによる混信を防止できる。
【００４０】
［第３実施形態］
把持部１は、操作スイッチと磁力発生素子とをさらに備える。操作スイッチは、利用者によって操作され、操作スイッチが操作されたときに、磁力発生素子から磁力が発生される。
【００４１】
磁力発生素子から発生された磁力は、ステンレス等の金属材料である伸縮筒２を介して先端部３まで伝えられる。
【００４２】
スイッチ３３は、磁力受信センサを備える。蓄電素子３２と光源３４との間に直列に接続されており、磁力センサが磁力を受信してスイッチがオンとなる。
【００４３】
＜第３実施形態の効果＞
本実施形態によれば、把持部１に操作スイッチと磁力発生素子とを備え、スイッチ３３に磁力受信センサを備える。この結果、利用者が被指示物を指し示すときに、従来の指示棒に備えられた操作スイッチを操作することで、先端部を光らせる事が可能となる。また光源３４と回路基板１２とを配線で接続させる必要性がないため、伸縮筒２の伸び縮みによる光源３４及び回路基板１２と配線との接続部分の劣化等を防止する事ができる。さらに、磁力は伸縮筒２を介して先端部３に伝わるため、複数の指示棒を使用したことによる混信を防止できる。
【００４４】
本発明の実施形態について以上説明したが、本発明の趣旨を逸脱しない範囲において、当業者であれば種々の変更を加えることができる。
【００４５】
（変形例１）
本実施形態において、把持部１の材料は、プラスチックである。この実施形態に代えて、把持部１の材料は、アルミニウム又はチタン等の金属であってもよい。
【００４６】
（変形例３）
本実施形態において、先端部３は円錐台の形状である。具体的には、先端部３の一の方向端部の外径は、他の方向端部の外径に比べて小さい形状となっている。この実施形態に代えて、先端部３は、円柱の形状又は三角柱の形状であってもよい。
【符号の説明】
【００４７】
１・・・把持部
１１・・・電源
１２・・・回路基板
１３・・・第１コネクタ
１４・・・収納部
２・・・伸縮筒
２１・・・第１の筒
２２・・・第２の筒
２３・・・第３の筒
２４・・・第４の筒
２５・・・第５の筒、
３・・・先端部、
３１・・・第２コネクタ
３２・・・蓄電素子
３３・・・スイッチ
３４・・・光源
【図１】
2019046666.tif 000003
【図２】
2019046666.tif 000004
【図３】
2019046666.tif 000005
【図４】
2019046666.tif 000006
【図５】
2019046666.tif 000007